(57)【要約】【課題】ＰＣ等の端末でＩＰ−ＦＡＸを着信した時の受信者の状況、転送先候補となるＩＰ−ＦＡＸ端末の状況等から、適切なＩＰ−ＦＡＸの転送先や動作を決定することのできるネットワーク端末を提供する。【解決手段】ＳＩＰによるＳＩＰサーバへの登録機能とＳＩＰによる呼接続機能とを備えたネットワーク端末であって、上記ＳＩＰサーバを介してＩＰ−ＦＡＸの着信を受け付ける手段と、受信側の状況に応じて転送その他の画像データの扱い方の動作を決定する手段と、決定された動作に基づいて転送その他の動作を実行する手段とを備える。【選択図】図２
2008022344.tif 000002
【特許請求の範囲】
【請求項１】
ＳＩＰによるＳＩＰサーバへの登録機能とＳＩＰによる呼接続機能とを備えたネットワーク端末であって、
上記ＳＩＰサーバを介してＩＰ−ＦＡＸの着信を受け付ける手段と、
受信側の状況に応じて転送その他の画像データの扱い方の動作を決定する手段と、
決定された動作に基づいて転送その他の動作を実行する手段とを備えたことを特徴とするネットワーク端末。
【請求項２】
請求項１に記載のネットワーク端末において、
実際に画像を出力する端末の候補をあらかじめ複数設定する手段と、
ＳＩＰによるＩＰ−ＦＡＸの着信時にユーザにＩＰ−ＦＡＸが着信していることを通知する手段と、
あらかじめ設定しておいた画像を出力する端末の候補の中から実際に画像を出力する端末をユーザに選択させる手段と、
選択された端末にＩＰ−ＦＡＸの着信を転送する手段とを備えたことを特徴とするネットワーク端末。
【請求項３】
請求項２に記載のネットワーク端末において、
ＩＰ−ＦＡＸの着信時にユーザが転送先を一定時間内に選択しなかった場合の未選択時転送先を設定する手段と、
ＩＰ−ＦＡＸの着信時にユーザが転送先を一定時間内に選択しなかった場合に、上記未選択時転送先にＩＰ−ＦＡＸの着信を転送する手段とを備えたことを特徴とするネットワーク端末。
【請求項４】
請求項２に記載のネットワーク端末において、
ＩＰ−ＦＡＸの着信時にＩＰ−ＦＡＸの受信可否をユーザに選択させる手段と、
ユーザが受信の拒否を選択した場合に、送信相手にＩＰ−ＦＡＸの受信ができないことを通知する手段とを備えたことを特徴とするネットワーク端末。
【請求項５】
請求項２に記載のネットワーク端末において、
ＩＰ−ＦＡＸの着信時にユーザが不在である場合の不在時転送先を設定する手段と、
ユーザの不在時に上記ＳＩＰサーバから自端末の登録情報を削除するとともに上記不在時転送先を着信先として上記ＳＩＰサーバに登録する手段とを備えたことを特徴とするネットワーク端末。
【請求項６】
請求項２に記載のネットワーク端末において、
ＩＰ−ＦＡＸの転送時に親展送信とするか否かをユーザに選択させる手段を備えたことを特徴とするネットワーク端末。
【請求項７】
請求項１に記載のネットワーク端末において、
転送先候補となる端末のプレゼンス情報を取得する手段と、
各端末のプレゼンス情報の内容ごとにＩＰ−ＦＡＸ着信時の動作を設定する手段と、
ＩＰ−ＦＡＸの着信時に、その時のプレゼンス情報に従って設定された処理を実行する手段とを備えたことを特徴とするネットワーク端末。
【請求項８】
請求項７に記載のネットワーク端末において、
転送が正常終了した旨をユーザに通知する動作につき、ユーザの状態に応じてメールで通知するかＩＭで通知するかを設定する手段を備えたことを特徴とするネットワーク端末。
【請求項９】
請求項１に記載のネットワーク端末において、
受信したＦＡＸデータを画像データに変換する手段と、
変換した画像データを端末内に保持する手段とを備えたことを特徴とするネットワーク端末。
【請求項１０】
ＳＩＰによるＳＩＰサーバへの登録機能とＳＩＰによる呼接続機能とを備えたネットワーク端末における制御方法であって、
上記ＳＩＰサーバを介してＩＰ−ＦＡＸの着信を受け付ける工程と、
受信側の状況に応じて転送その他の画像データの扱い方の動作を決定する工程と、
決定された動作に基づいて転送その他の動作を実行する工程とを備えたことを特徴とするＩＰ−ＦＡＸ制御方法。
【発明の詳細な説明】
【技術分野】
【０００１】
本発明は、ＦＡＸ着信時に受信側の状況に応じて動作を決定することのできるネットワーク端末に関する。
【背景技術】
【０００２】
従来の公衆回線を利用したＦＡＸでは、ＦＡＸ機能を有する端末でしかＦＡＸ受信をすることができなかった。
【０００３】
しかし、ＳＩＰ（Session Initiation Protocol）を利用したＩＰ（Internet Protocol）−ＦＡＸでは、ＦＡＸ端末に番号を割り振るのではなく、人に対して番号を割り振ることで、それぞれの人がＦＡＸを着信する端末を指定することができる。
【０００４】
このため、携帯電話やＰＣ（Personal Computer）等の端末でＩＰ−ＦＡＸの着信をした上で、その呼を、実際にＦＡＸ画像を受信して出力する機能を有する端末に対して転送することができるようになった（例えば、特許文献１〜４を参照。）。
【０００５】
なお、従来のＩＰ−ＦＡＸにおける転送では、あらかじめ転送するＩＰ−ＦＡＸ端末を設定しておく必要があった。
【０００６】
また、従来のＩＰ−ＦＡＸでは、送信者の情報によって転送先を決定することはできるが、ＦＡＸの状態によって転送先を決定することができなかった。
【特許文献１】特開２００４−１１２３２８号公報
【特許文献２】特開２００５−８６７２４号公報
【特許文献３】特開２００５−５１８０２号公報
【特許文献４】特許第３６４５１９１号公報
【発明の開示】
【発明が解決しようとする課題】
【０００７】
上述したように従来のＩＰ−ＦＡＸでは、あらかじめ設定されたＩＰ−ＦＡＸ端末にしか転送できなかったため、ＩＰ−ＦＡＸ着信時に、受信者の状況に応じて出力先となるＩＰ−ＦＡＸ端末を適切に選択することができないという問題があった。
【０００８】
また、ＩＰ−ＦＡＸ端末の状態によって転送先を決定することができなかったため、あらかじめ設定されていた転送先となるＩＰ−ＦＡＸ端末がトナー切れや紙切れにより受信できない状態であった場合でも、転送先を別途選択することができず、正常に受信することができない場合があるという問題があった。
【０００９】
本発明は上記の従来の問題点に鑑み提案されたものであり、その目的とするところは、ＰＣ等の端末でＩＰ−ＦＡＸを着信した時の受信者の状況、転送先候補となるＩＰ−ＦＡＸ端末の状況等から、適切なＩＰ−ＦＡＸの転送先や動作を決定することのできるネットワーク端末を提供することにある。
【課題を解決するための手段】
【００１０】
上記の課題を解決するため、本発明にあっては、請求項１に記載されるように、ＳＩＰによるＳＩＰサーバへの登録機能とＳＩＰによる呼接続機能とを備えたネットワーク端末であって、上記ＳＩＰサーバを介してＩＰ−ＦＡＸの着信を受け付ける手段と、受信側の状況に応じて転送その他の画像データの扱い方の動作を決定する手段と、決定された動作に基づいて転送その他の動作を実行する手段とを備えるネットワーク端末を要旨としている。
【００１１】
また、請求項２に記載されるように、請求項１に記載のネットワーク端末において、実際に画像を出力する端末の候補をあらかじめ複数設定する手段と、ＳＩＰによるＩＰ−ＦＡＸの着信時にユーザにＩＰ−ＦＡＸが着信していることを通知する手段と、あらかじめ設定しておいた画像を出力する端末の候補の中から実際に画像を出力する端末をユーザに選択させる手段と、選択された端末にＩＰ−ＦＡＸの着信を転送する手段とを備えるようにすることができる。
【００１２】
また、請求項３に記載されるように、請求項２に記載のネットワーク端末において、ＩＰ−ＦＡＸの着信時にユーザが転送先を一定時間内に選択しなかった場合の未選択時転送先を設定する手段と、ＩＰ−ＦＡＸの着信時にユーザが転送先を一定時間内に選択しなかった場合に、上記未選択時転送先にＩＰ−ＦＡＸの着信を転送する手段とを備えるようにすることができる。
【００１３】
また、請求項４に記載されるように、請求項２に記載のネットワーク端末において、ＩＰ−ＦＡＸの着信時にＩＰ−ＦＡＸの受信可否をユーザに選択させる手段と、ユーザが受信の拒否を選択した場合に、送信相手にＩＰ−ＦＡＸの受信ができないことを通知する手段とを備えるようにすることができる。
【００１４】
また、請求項５に記載されるように、請求項２に記載のネットワーク端末において、ＩＰ−ＦＡＸの着信時にユーザが不在である場合の不在時転送先を設定する手段と、ユーザの不在時に上記ＳＩＰサーバから自端末の登録情報を削除するとともに上記不在時転送先を着信先として上記ＳＩＰサーバに登録する手段とを備えるようにすることができる。
【００１５】
また、請求項６に記載されるように、請求項２に記載のネットワーク端末において、ＩＰ−ＦＡＸの転送時に親展送信とするか否かをユーザに選択させる手段を備えるようにすることができる。
【００１６】
また、請求項７に記載されるように、請求項１に記載のネットワーク端末において、転送先候補となる端末のプレゼンス情報を取得する手段と、各端末のプレゼンス情報の内容ごとにＩＰ−ＦＡＸ着信時の動作を設定する手段と、ＩＰ−ＦＡＸの着信時に、その時のプレゼンス情報に従って設定された処理を実行する手段とを備えるようにすることができる。
【００１７】
また、請求項８に記載されるように、請求項７に記載のネットワーク端末において、転送が正常終了した旨をユーザに通知する動作につき、ユーザの状態に応じてメールで通知するかＩＭで通知するかを設定する手段を備えるようにすることができる。
【００１８】
また、請求項９に記載されるように、請求項１に記載のネットワーク端末において、受信したＦＡＸデータを画像データに変換する手段と、変換した画像データを端末内に保持する手段とを備えるようにすることができる。
【００１９】
また、請求項１０に記載されるように、ＳＩＰによるＳＩＰサーバへの登録機能とＳＩＰによる呼接続機能とを備えたネットワーク端末における制御方法であって、上記ＳＩＰサーバを介してＩＰ−ＦＡＸの着信を受け付ける工程と、受信側の状況に応じて転送その他の画像データの扱い方の動作を決定する工程と、決定された動作に基づいて転送その他の動作を実行する工程とを備えるＩＰ−ＦＡＸ制御方法として構成することができる。
【発明の効果】
【００２０】
本発明のネットワーク端末にあっては、ＰＣ等の端末でＩＰ−ＦＡＸを着信した時の受信者の状況、転送先候補となるＩＰ−ＦＡＸ端末の状況等から、適切なＩＰ−ＦＡＸの転送先や動作を決定することができ、ＩＰ−ＦＡＸの利便性を向上させることができる。
【発明を実施するための最良の形態】
【００２１】
以下、本発明の好適な実施形態につき説明する。
【００２２】
＜システム構成＞
図１は本発明を適用したＩＰ−ＦＡＸシステムの構成例を示す図である。
【００２３】
図１において、ＷＡＮ（Wide Area Network）１にはＳＩＰサーバ２、ＰＣ３、ＩＰ−ＦＡＸ端末４Ａ、４Ｂが接続され、ＷＡＮ１はＶｏＩＰ−ＧＷ（Voice over IP-Gateway）装置５を介して公衆回線網６と接続され、公衆回線網６にはＦＡＸ装置７が接続されている。後述する動作説明では、ＦＡＸ装置７が送信側となり、ＰＣ３に着信した上でＩＰ−ＦＡＸ端末４ＡもしくはＩＰ−ＦＡＸ端末４Ｂに転送する場合を想定している。
【００２４】
図２はＰＣ３の内部構成例を示す図である。
【００２５】
図２において、ＰＣ３は、装置全体の制御処理を行なうＣＰＵ３１と、装置の動作を制御するシステムデータや各種設定情報等を保持する記憶領域としてのＲＡＭ３２と、ユーザが装置を動作させるための各種操作（転送先の選択等）を行なうとともに各種情報（ポップアップ等）を表示するための操作／表示部３３とを備えている。
【００２６】
また、ＳＩＰの制御機能を有し、インターネットを介してセッション接続制御を行うＳＩＰ呼制御部３４と、ＩＴＵ−Ｔ（International Telecommunication Union-Telecommunication sector）勧告のＴ．３８プロトコル（リアルタイムファクシミリ用）の制御や画像変換処理（ＦＡＸデータから画像データへの変換）等を行うＴ３８制御部３５と、インターネットのネットワークレイヤ・トランスポートレイヤのプロトコル（ＩＰ網との通信制御を行なうＩＰ・ＴＣＰ（Transmission Control Protocol）／ＵＤＰ（User Datagram Protocol））を制御するＴＣＰ／ＵＤＰ／ＩＰ制御部３６と、データリンク層以下の通信制御機能を有し、ＬＡＮ（Local Area Network）または公衆回線を介してＩＰ網へ接続するネットワークＩ／Ｆ（Interface）部３７とを備えている。
【００２７】
＜動作・処理＞
図３はＳＩＰサーバ２への登録からＦＡＸ受信までの処理例を示すフローチャートである。なお、ＩＰ−ＦＡＸ端末４Ａ、４Ｂとユーザ毎にＳＩＰ−ＵＲＩ（Uniform Resource Identifiers）が事前に割り振られているものとする（図１に括弧書きで番号を表示するように、ＰＣ３のユーザには「２０００」、ＩＰ−ＦＡＸ端末４Ａには「１０００」、ＩＰ−ＦＡＸ端末４Ｂには「３０００」が割り振られているものとする。）。
【００２８】
図３において、ＩＰ−ＦＡＸ端末４Ａ、４Ｂは、自端末に割り振られたＳＩＰ−ＵＲＩと自端末のＩＰアドレスを起動時にＳＩＰサーバ２に登録し、ＰＣ３は、ユーザがログインしたときに、ユーザが入力したＳＩＰ−ＵＲＩとＰＣ３のＩＰアドレスをＳＩＰサーバ２に登録する（ステップＳ１０１）。ＰＣ３からＳＩＰサーバ２への登録はＳＩＰ呼制御部３４が行う。
【００２９】
また、ユーザは、ＰＣ３の操作／表示部３３により、転送先候補となるＩＰ−ＦＡＸ端末４Ａ、４ＢのＳＩＰ−ＵＲＩの番号と、ＩＰ−ＦＡＸ着信時にユーザが転送先を一定時間内に選択しなかった場合（未選択時）の転送先とを設定する（ステップＳ１０２）。設定内容はＲＡＭ３２に記憶される。例えば、転送先候補として「１０００」「３０００」を設定し、未選択時転送先として「１０００」を設定する。なお、この設定は毎回行う必要はなく、初回および変更があった場合に行えばよい。
【００３０】
その後、ＦＡＸ装置７からユーザのログインしているＰＣ３にＩＰ−ＦＡＸの着信があると（ステップＳ１０３）、ＰＣ３はＩＰ−ＦＡＸの着信があることを操作／表示部３３に表示することでユーザに通知する（ステップＳ１０４）。図４はユーザにＦＡＸ着信を通知するＵＩ（User Interface）の例を示す図であり、「０３−ｘｘｘｘ−ｘｘｘｘからＩＰ−ＦＡＸの着信中です。転送先ＦＡＸを下から選んでください。」というメッセージとともに、転送先候補となるＩＰ−ＦＡＸ端末４Ａ、４Ｂの番号と状態（ＳＩＰのＳＩＭＰＬＥ（SIP for Instant Messaging and Presence Leveraging Extensions）プロトコルによるプレゼンス機能により取得）を示す「１０００（トナー切れ）」「３０００（オンライン）」が表示される。
【００３１】
図３に戻り、ＰＣ３ではユーザに通知してから一定時間内に転送先の選択がされるか否かを判断し（ステップＳ１０５）、一定時間内に選択された場合（ステップＳ１０５のＹｅｓ）は、続いて、ユーザがＦＡＸを受信するかどうかの選択を判断する（ステップＳ１０６）。
【００３２】
ここで、ＦＡＸを受信する場合（ステップＳ１０６の受信する場合）、ユーザが候補から選択したものを画像を出力する機器として確定する（ステップＳ１０７）。図４においては、ＩＰ−ＦＡＸ端末４Ｂに対応する「３０００（オンライン）」を選択し、ポップアップから「ここに転送する」を選択しており、画像を出力する機器はＩＰ−ＦＡＸ端末４Ｂとなる。
【００３３】
図３に戻り、ＰＣ３は選択されたＩＰ−ＦＡＸ端末に対しＦＡＸを転送する（ステップＳ１０８）。ＩＰ−ＦＡＸの転送は、ＳＩＰ呼制御部３４が行い、ＲＦＣ３５１５に規定されるＲＥＦＥＲメソッドを使用し、転送先ＩＰ−ＦＡＸ端末のＳＩＰ−ＵＲＩをＲＦＥＲメソッドのＲｅｆｅｒ−Ｔｏヘッダに指定することで行う。
【００３４】
転送を受けたＩＰ−ＦＡＸ端末はＩＰ−ＦＡＸの画像データを受信し、画像を出力する（ステップＳ１１１）。なお、転送先はＩＰ−ＦＡＸ端末に限られず、ＩＰ−ＦＡＸ受信機能を持ったＰＣ等でもよい。この際、受信したＦＡＸデータをＴＩＦＦ、ＪＰＥＧ等の画像データに変換して保存することもできる。
【００３５】
一方、ＩＰ−ＦＡＸの着信をユーザに通知してから一定時間内に転送先が選択されなかった場合（ステップＳ１０５のＮｏ）は、あらかじめ設定された未選択時転送先に転送し（ステップＳ１０９）、転送を受けた端末はＩＰ−ＦＡＸの画像データを受信し、画像を出力する（ステップＳ１１１）。
【００３６】
また、ユーザがＦＡＸの受信を拒否した場合（ステップＳ１０６の拒否する場合）、ＰＣ３は送信端末に対して受信できない旨を通知する（ステップＳ１１１）。送信端末に対する通知はＳＩＰ呼制御部３４が行う。
【００３７】
図５はユーザ不在時の処理例を示すフローチャートである。
【００３８】
図５において、ユーザは、ＰＣ３の操作／表示部３３により、不在（ＰＣ３からのログアウト）により着信を受けられない場合の転送先となる端末のＩＰアドレスをあらかじめ設定しておく（ステップＳ２０１）。
【００３９】
ユーザがＰＣ３のシステムからログアウト（ログオフ）する時に、ＳＩＰ呼制御部３４はＳＩＰサーバ２に登録しておいた自端末のＳＩＰ−ＵＲＩとＰＣ３のＩＰアドレスの関連を削除する（ステップＳ２０２）。
【００４０】
また、ＳＩＰ呼制御部３４は、自端末のＳＩＰ−ＵＲＩと既に設定しておいた転送先となる端末のＩＰアドレスを関連付けてＳＩＰサーバ２に登録する（ステップＳ２０３）。
【００４１】
その後、ＰＣ３の電源が切られた後などに、ユーザのＳＩＰ−ＵＲＩに対してＩＰ−ＦＡＸの着信を受けた場合、ＳＩＰサーバ２は登録された端末に対して着信を行い、着信した端末で画像を出力する（ステップＳ２０４）。
【００４２】
図６はプレゼンス情報を用いた動作振り分けの処理例を示すフローチャートである。
【００４３】
図６において、ユーザはログインしたＰＣ３の操作／表示部３３において、ＩＰ−ＦＡＸ着信時における転送先候補となるＩＰ−ＦＡＸ端末４Ａ、４Ｂと、それらの端末の優先順位と、それぞれのプレゼンス情報に対しての動作をあらかじめ設定しておく（ステップＳ３０１）。図７は動作振り分けのための設定情報の例を示す図であり、（ａ）は端末と優先順位との関係の設定情報、（ｂ）はＩＰ−ＦＡＸ端末４Ａ（ＦＡＸ＿Ａ）についての状態と動作との関係の設定情報、（ｃ）はＩＰ−ＦＡＸ端末４Ｂ（ＦＡＸ＿Ｂ）についての状態と動作との関係の設定情報である。これらの設定情報はＲＡＭ３２に記憶される。なお、この設定は毎回行う必要はなく、初回および変更があった場合に行えばよい。
【００４４】
図６に戻り、ユーザがＰＣ３にログインすると、ＳＩＰ呼制御部３４は転送先候補となるＩＰ−ＦＡＸ端末４Ａ、４Ｂのプレゼンス情報をＳＩＰサーバ２を介して常時取得し、記憶領域に保存する（ステップＳ３０２）。ＩＰ−ＦＡＸ端末のプレゼンス情報は、ＲＦＣ３２６５に規定されている手順で取得する。
【００４５】
その後、ＩＰ−ＦＡＸ着信があると（ステップＳ３０３）、ＰＣ３は現在のプレゼンス情報における設定が何か判断し（ステップＳ３０４）、転送先候補となる端末のプレゼンス情報に対応して設定された動作を行う（ステップＳ３０５〜Ｓ３０８）。
【００４６】
図８は動作振り分けのための設定情報の他の例を示す図であり、転送が正常終了した旨をユーザに通知するにあたり、ユーザの状態に応じてメールで通知するかＩＭ（Instant Messenger）で通知するかを規定したものである。ここでは、「退席中」あるいは「取り込み中」である場合はメールで通知し、「オンライン」である場合はＩＭで通知することで、ユーザへの通知を適切なものとしている。
【００４７】
図９は親展送信の可否を考慮した転送時の処理例を示すフローチャートであり、図３における機器の選択（ステップＳ１０７）と選択された端末への転送（ステップＳ１０８）の処理部分に置き換わるものである。その他の処理は図３に示したものと同様である。なお、親展送信とは、受信したＦＡＸデータをパスワードで保護された記憶領域に保存し、適切なパスワードを入力しない限り閲覧できないようにするものである。
【００４８】
図９において、ＩＰ−ＦＡＸ着信時にユーザが転送先候補から画像を出力する機器を選択すると（ステップＳ４０１）、ユーザに親展送信とするか否かを操作／表示部３３の画面ＵＩを介して選択させ（ステップＳ４０２）、親展送信としない場合はＳＩＰ呼制御部３４により通常のＦＡＸ転送を行い（ステップＳ４０３）、親展送信とする場合はＳＩＰ呼制御部３４において親展とする旨の情報を付与したＳＩＰメッセージを作成し、親展としてＦＡＸ転送を行う（ステップＳ４０４）。
【００４９】
＜総括＞
以上のように、本発明にあっては次のような利点がある。
【００５０】
（１）ＩＰ−ＦＡＸ受信者が現在ログインしているＰＣ等の端末でＩＰ−ＦＡＸの着信を受けられるため、ユーザはＩＰ−ＦＡＸが送られてきていることをＰＣの前で知ることができ、ＮｏｔｅＰＣ等のモバイル端末である場合は、移動先でＩＰ−ＦＡＸの着信を知ることができる。また、ＩＰ−ＦＡＸ着信時にユーザがいる場所やＩＰ−ＦＡＸ送信相手の情報から、ＩＰ−ＦＡＸの画像を出力する端末をその場でユーザが選択することができる。
【００５１】
（２）ユーザがＩＰ−ＦＡＸの着信に対し一定時間内に応答しない場合の転送先をあらかじめ設定しておき、そのＩＰ−ＦＡＸ端末に対して転送させることができる。これにより、ユーザが在籍しているが着信に対し応答できない場合にも、ＩＰ−ＦＡＸの受信をすることができる。
【００５２】
（３）ＩＰ−ＦＡＸ着信時に受信者は現在の状況、送信相手の情報から、ＩＰ−ＦＡＸの着信を拒否することをその場で選択でき、相手方には受信できない旨が通知される。これにより、ＦＡＸ送信者は送信できなかったことを知ることができる。
【００５３】
（４）ＰＣの電源を落とした場合などのように、ユーザがログアウトして不在の場合の転送先をあらかじめ設定しておき、ＩＰ−ＦＡＸの着信を指定した端末で受けることができる。これにより、ユーザが不在時にＩＰ−ＦＡＸの着信を受けた場合にも、設定したＩＰ−ＦＡＸ端末で画像を受信することができる。
【００５４】
（５）ＩＰ−ＦＡＸ受信した時点で、送信相手情報を見て、受信者が親展送信とするか否かを選択することができる。これにより、外出先で重要なＦＡＸを受信した場合等に、親展としてＦＡＸ受信することができる。
【００５５】
（６）ＩＰ−ＦＡＸ着信時におけるＩＰ−ＦＡＸ端末の状態を考慮して、転送するＩＰ−ＦＡＸ端末をその場で選択することができる。また、それぞれの状態に対する着信時の処理を設定しておくことで、そのときの状況により画像データの扱い方を決定することができるため、紙が切れている端末やトナーが切れている端末に対するＩＰ−ＦＡＸの転送を防ぐことができる。
【００５６】
（７）転送が正常終了した旨をユーザに通知し、この際、ユーザの状態に応じてメールで通知するかＩＭで通知するかを決めるため、自動で転送された場合でもどのＩＰ−ＦＡＸに転送されたかをユーザが知ることができる。
【００５７】
（８）ＰＣでＩＰ−ＦＡＸの着信を受けた際に、ＩＰ−ＦＡＸ端末を選択して転送するだけでなく、ＰＣでＩＰ−ＦＡＸデータを画像データに変換して蓄積することで、後に閲覧することができる。
【００５８】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５９】
【図１】本発明を適用したＩＰ−ＦＡＸシステムの構成例を示す図である。
【図２】ＰＣの内部構成例を示す図である。
【図３】ＳＩＰサーバへの登録からＦＡＸ受信までの処理例を示すフローチャートである。
【図４】ユーザにＦＡＸ着信を通知するＵＩの例を示す図である。
【図５】ユーザ不在時の処理例を示すフローチャートである。
【図６】プレゼンス情報を用いた動作振り分けの処理例を示すフローチャートである。
【図７】動作振り分けのための設定情報の例を示す図（その１）である。
【図８】動作振り分けのための設定情報の例を示す図（その２）である。
【図９】親展送信の可否を考慮した転送時の処理例を示すフローチャートである。
【符号の説明】
【００６０】
１            ＷＡＮ
２            ＳＩＰサーバ
３            ＰＣ
３１          ＣＰＵ
３２          ＲＡＭ
３３          操作／表示部
３４          ＳＩＰ呼制御部
３５          Ｔ３８制御部
３６          ＴＣＰ／ＵＤＰ／ＩＰ制御部
３７          ネットワークＩ／Ｆ部
４Ａ、４Ｂ    ＩＰ−ＦＡＸ端末
５            ＶｏＩＰ−ＧＷ装置
６            公衆回線網
７            ＦＡＸ装置
【図１】
2008022344.tif 000003
【図２】
2008022344.tif 000004
【図３】
2008022344.tif 000005
【図４】
2008022344.tif 000006
【図５】
2008022344.tif 000007
【図６】
2008022344.tif 000008
【図７】
2008022344.tif 000009
【図８】
2008022344.tif 000010
【図９】
2008022344.tif 000011